(57)【要約】  包装材に収納された針付縫合糸を取り出す際に、縫合糸を絡めずに取り出すことができ、かつ、包装材の一点で縫合糸が擦れ難くする針付縫合糸の包装材を提供する。針付縫合糸（３０）を収納する三つ折り以上の包装材（１０）であって、開いた状態の包装材（１０）の端部に曲線切欠部（２０）を有し、その曲線切欠部（２０）が包装材（１０）の内側にくるように折り畳んだときに、折り目と曲線切欠部（２０）とによって縫合糸（３２）の通り孔（２５）が形成され、収納された針付縫合糸（３０）を包装材（１０）から取り出すときに、縫合糸（３２）が前記通り孔（２５）を通り抜ける針付縫合糸の包装材とする。
2016136494.tif 000002
【特許請求の範囲】
【請求項１】
針付縫合糸を収納する三つ折り以上の包装材であって、
開いた状態の前記包装材の端部に曲線切欠部を有し、前記曲線切欠部が前記包装材の内側にくるように折り畳んだときに、折り目と前記曲線切欠部とによって縫合糸の通り孔が形成され、
収納された前記針付縫合糸を前記包装材から取り出すときに、前記縫合糸が前記通り孔を通り抜けることを特徴とする針付縫合糸の包装材。
【請求項２】
前記縫合糸と前記曲線切欠部とが接触し、前記縫合糸が引き抜かれるのに伴って、前記曲線切欠部の前記縫合糸との接触位置が移動することを特徴とする請求項１に記載の針付縫合糸の包装材。
【請求項３】
前記曲線切欠部が円弧形状であることを特徴とする請求項１又は２に記載の針付縫合糸の包装材。
【請求項４】
前記包装材が四つ折りであることを特徴とする請求項１又は２に記載の針付縫合糸の包装材。
【請求項５】
前記包装材において、前記針付縫合糸における縫合針を押圧する針押え部を設けたことを特徴とする請求項１から４に記載の針付縫合糸の包装材。
【発明の詳細な説明】
【技術分野】
【０００１】
本発明は、針付縫合糸を収納する包装材に関する。
【背景技術】
【０００２】
眼科や歯科等で使用される針付縫合糸は、紙製や樹脂製等の包装材や樹脂製のケースに収納されて販売されている。ここで、針付縫合糸は、１回限りの使用であるため、経済性等を考慮して、樹脂製のケースよりは紙製や樹脂製等の包装材に収納されて販売されることが多い。【０００３】
包装材に収納された針付縫合糸は、使用前に縫合針や縫合糸に細菌等が付かないように、縫合針を持針器で挟持し、包装材から縫合糸を引っ張り出した後、使用される。このとき、包装材の中で縫合糸が絡んだりして引き出し難い場合には、縫合針から縫合糸が抜けたり、縫合糸が纏まったまま包装材から出てしまうことがある。そこで、包装材に開口などの孔を開け、縫合糸がその孔を通って引っ張り出される構成にすることで、縫合糸の絡みを解消し、引っ張り出し易くすることがある。【０００４】
しかし、縫合糸が包装材の開口などの孔を通って引っ張り出される際に、包装材の折り目の角などの一点で縫合糸が擦れると、縫合糸が損傷を受けたり、包装材が紙製の場合は逆に包装材が損傷を受けて紙粉が縫合糸に付着するといった不具合を生じることがある。【０００５】
図４は、特許文献１に示された従来の包装材の平面図であって、（ａ）は包装途中、（ｂ）は包装後の状態を示す。この包装材１００は、縫合針１０１を持針器で挟持して開口１１０から縫合糸１０２を抜き出す構成であるが、この形状では、抜き出す際に開口１１０の端部１１１の一点で縫合糸１０２が擦れることが想定されるため、縫合糸１０２を傷めたり、包装材１００の紙粉が縫合糸１０２に付着することが懸念される。
【先行技術文献】
【特許文献】
【０００６】
【特許文献１】特許第３２４８７０５号
【発明の概要】
【発明が解決しようとする課題】
【０００７】
斯かる事情に鑑み、本発明は、包装材に収納された針付縫合糸を取り出す際に、縫合糸を絡めずに取り出すことができ、かつ、包装材の一点で縫合糸が擦れ難くする針付縫合糸の包装材を提供することを目的とする。
【課題を解決するための手段】
【０００８】
本発明の針付縫合糸の包装材は、針付縫合糸を収納する三つ折り以上の包装材であって、開いた状態の包装材の端部に曲線切欠部を有し、その曲線切欠部が包装材の内側にくるように折り畳んだときに、折り目と曲線切欠部とによって縫合糸の通り孔が形成され、収納された針付縫合糸を包装材から取り出すときに、縫合糸が前記通り孔を通り抜けることを特徴とするものである。【０００９】
ここで、縫合糸と曲線切欠部とが接触し、縫合糸が引き抜かれるのに伴って、曲線切欠部の縫合糸との接触位置が移動することにするとよい。【００１０】
また、曲線切欠部が円弧形状であることにしたり、包装材が四つ折りであることにしたり、針付縫合糸における縫合針を押圧する針押え部を設けることとしてもよい。
【発明の効果】
【００１１】
本発明の針付縫合糸の包装材を用いると、包装材から針付縫合糸を取り出す際に、縫合糸が絡まり難く、かつ、縫合糸を傷めたり、包装材が紙製の場合は紙粉が付着したりすることを抑えることができるという効果を奏する。
【図面の簡単な説明】
【００１２】
【図１】本発明の針付縫合糸の包装材に針付縫合糸を収納する過程を説明する図である。
【図２】包装後の模式断面図である。
【図３】針付縫合糸を包装材から取り出す状況を説明する図である。
【図４】従来の包装材の平面図であって、（ａ）は包装途中、（ｂ）は包装後の状態を示す。
【発明を実施するための形態】
【００１３】
以下、本発明の実施例を添付図面を参照して説明する。
【００１４】
図１は、本発明の針付縫合糸の包装材に針付縫合糸を収納する過程を説明する図である。（ａ）、（ｂ）、（ｃ）、（ｄ）、（ｅ）の順に、それぞれの図中の矢印の部分を折り畳んで、針付縫合糸３０を収納する。また、図２は、包装後の模式断面図である。模式断面図は、包装後の包装材１０を横方向に２カ所（Ａ−Ａ断面、Ｂ−Ｂ断面）、縦方向に１カ所（Ｃ−Ｃ断面）切断した面を分かりやすいように模式的に示した図である。
【００１５】
本実施例に示す包装材１０は、４つの大きな面を折り畳んで重ね合わせる四つ折りの構成になっている。ここで、本実施例の説明において、この４つの面は、図１（ａ）の右側から順に第一面１１、第二面１２、第三面１３、第四面１４ということとする。なお、第１面１１と第二面１２との境界及び第二面１２と第三面１３との境界は、折り畳んだときに少し厚みを持たせるため、スリットを二重に入れることとする。
【００１６】
この４つの面の折り畳み方は、まず第四面１４を第三面１３上に重ね合わせ（図１（ｃ））、次に第四面１４と第三面１３の重なった部分を第二面１２上に重ね合わせ（図１（ｄ））、最後に第一面１１を一番上に重ね合わせる（図１（ｅ））というものである。つまり、包装後の包装材１０は、図２の各模式断面図に示すように、上から第一面１１、第三面１３、第四面１４、第二面１２の順番に重なることになる。以下、それぞれの面が備える機能等を説明する。
【００１７】
第一面１１は、上端に延伸する形で針押え部１６が設けられている。この針押え部１６は、図１（ａ）の矢印が示すように、第一面１１と重なるように折り畳まれる。そして、針押え部１６は、折られることで復元する方向に弾性を有し、その弾性をもって、図２のＣ−Ｃ断面に示すように、縫合針３１を押圧する。これによって、包装後の縫合針３１の動きを抑制することができる。なお、縫合針３１を含めて全体的に押圧力がかかることになるので、収納されている縫合糸３２が包装材１０の上方から滑り出るのを防ぐ効果もある。
【００１８】
また、第一面１１は、係止雌部２２を備えている。係止雌部２２は、本実施例では半円形状に切り抜かれた孔で、図２のＢ−Ｂ断面に示すように、第四面１４に設けられた係止雄部２１を貫通させて引っ掛けることで、折り畳んだ包装材１０が開くのを防止するのに用いられる。なお、係止雌部２２の孔形状は、係止雄部２１を貫通させて引っ掛けられればよいので、半円形状に特に限定するものではない。
【００１９】
第二面１２は、包装したときに最下面に位置する面で、縫合糸３２を直接載置する部分である。そして、第二面１２の上端に延伸する形状で、持ち手部１５が設けられている。この持ち手部１５は、針付縫合糸３０を包装材１０から持針器で挟持して取り出す際に、取り出しやすくするため、裏面側に曲げられるように第二面１２との境界位置にスリットを備えている。
【００２０】
また、第二面１２には、糸押え部１７，１７が備えられている。糸押え部１７，１７は、第一面１１と第三面１３に半円弧状に切り込みを入れたもので、それぞれ第二面１２と第一面１１との境界位置、第二面１２と第三面１３との境界位置において、第二面１２に向かって折り返すことで、図２のＢ−Ｂ断面に示すように縫合糸３２を押えることができる。この糸押え部１７，１７を備えることで、縫合糸３２を第二面１２の上にセットする際に、糸が広がるのを防止でき、かつ、縫合糸３２が包装材１０の中を移動することを抑制できる。なお、糸押え部１７の形状は、縫合糸３２を押えることができればよいので、特に半円形状に限定するものではない。
【００２１】
さらに、第二面１２の下端を延伸する形で、底部１８が設けられている。底部１８は、第二面１２に向かって折り返す部分であって、縫合糸３２を押えるだけでなく、包装材１０を持ち手部１５を上方にして持ったときに、縫合糸３２が床方向に滑り落ちるのを防ぐ部分である。底部１８の形状は、本実施例では二等辺三角形であるが、特にこの形状に限定するものではない。ただし、本実施例では、第四面１４の下端を緩い円弧状にすることで、図２のＣ−Ｃ断面に示すように、底部１８の二等辺三角形の頂点付近が第四面１４と第三面１３の間に挟める構造にしている。
【００２２】
第三面１３は、針留め部１９を備えている。針留め部１９は、第三面１３の上端に少し延伸させ、縫合針３１を挟んで保持できるように、Ｕ字を横にした形状の切り欠きを入れたものである。なお、切り欠きの形状は特に限定せず、略円弧状の縫合針３１の針先が、針留め部１９から第三面１３に向かうような角度で保持できる形状であればよい。縫合針３１をこのような角度で保持すれば、第一面１１に設けた針押え部１６で、縫合針３１の針先を押圧することができるからである。また、従来の包装材によく見られるような、縫合針３１を刺通する針留め部は、針先を保護するには有効であるが、切れ味低下を最小限にし当初の切れ味を維持するためには、本実施例のように縫合針３１の中間付近を挟む形状にするのが好ましい。
【００２３】
第四面１４は、折り畳んだときに縫合糸３２を弾性的に上から押える面であって、係止雄部２１と曲線切欠部２０を備えている。係止雄部２１は、前述したとおり、第一面１１の係止雌部２２を貫通して引っ掛けることで、包装材１０が開かないようにする部分である。本実施例では、第四面１４を折り畳んだときに、糸押え部１７によって第三面１３に開いた孔に係止雄部２１がちょうど現れる構成になっている。つまり、係止雄部２１は、図２のＣ−Ｃ断面に示すように、糸押え部１７によって第三面１３に開いた孔と、第一面１１の係止雌部２２との二つの孔を貫通して係止するものなので、包装材１０のそれぞれの面の密着度を高くする効果がある。そのため、上記の第四面１４の弾性作用と相俟って、縫合糸３２をセットしたときの形状を維持しつつ安定的に保持することができ、縫合糸３２の絡まりを防止することができる。
【００２４】
曲線切欠部２０は、第四面１４の左側端に設けられている。この曲線切欠部２０は、折り畳んだときに、第二面１２と第三面１３との境界線の折り目と、曲線切欠部２０とによって、通り孔２５を形成するものである。この通り孔２５は、図２のＡ−Ａ断面に示すように、第二面１２と第四面１４とで挟まれた空間と、第四面１４と第三面１３とで挟まれた空間とを繋ぐ孔となっている。そして、この通り孔２５は、針付縫合糸３０を包装材１０から取り出す際に、縫合糸３２が通る孔であり、これによって、縫合糸３２が絡まないで取り出すことを可能とする。
【００２５】
本実施例では、第二面１２と第四面１４とで挟まれた空間に載置された縫合糸３２が、通り孔２５を貫通し、第四面１４と第三面とで挟まれた空間を通って、縫合針３１に繋がるような形態で、針付縫合糸３０は包装材１０に収納されている。つまり、図２のＡ−Ａ断面において通り孔２５の位置に記載されている縫合糸３２は、ちょうど通り孔２５を貫通している縫合糸３２を示している。
【００２６】
仮に通り孔が第四面１４に独立して開けられた孔だとすると、針付縫合糸３０を収納する際に、縫合糸３２を先端から全長にわたって通り孔に通すか、又は、縫合針３１側から通り孔に通さなければならないので、収納作業が煩雑になる。しかし、本実施例の通り孔２５は、第二面１２と第三面１３との境界線の折り目と、曲線切欠部２０とによって形成されるので、図１（ｃ）において、縫合糸３２が曲線切欠部２０を横切って、かつ、第三面１３と第四面１４との間に縫合糸３２を挟むようにセットしておけば、あとは折り畳むだけで、縫合糸３２が通り孔２５を貫通することになる。つまり、本実施例のように曲線切欠部２０を使って通り孔２５を形成する構成であれば、針付縫合糸３０の収納を容易に行うことができる。
【００２７】
図３は、針付縫合糸を包装材から取り出す状況を説明する図である。収納された針付縫合糸３０を取り出す際には、縫合針３１を持針器で挟持して、縫合糸３２を引っ張り出す。このとき、前述した通り、縫合糸３２は通り孔２５を通って引き出されるので、糸が絡まったまま包装材１０の外に出ることを防ぐことができる。
【００２８】
縫合針３１を図の矢印方向に引っ張ると、縫合糸３２は、曲線切欠部２０に接点Ｐで接触することになる。このとき、接点Ｐが常に特定の一点だとすると、摩擦によって、縫合糸３２が傷んだり、包装材が紙製の場合は紙粉が縫合糸３２に付着するという不具合が生じることがある。そこで、曲線切欠部２０の曲線形状としては、径の大きな円弧状にすることが提案される。円弧状であれば、縫合糸３２が引き抜かれるのに伴って、接点Ｐの位置が移動しやすくなるので、縫合糸３２が傷んだり、紙粉が付着するのを抑えることができるからである。なお、曲線切欠部２０の曲線形状は、径の大きな円弧形状が好ましいが、接点Ｐの位置が移動できるような滑らかな曲線形状であれば、縫合糸３２の損傷等を抑えるという効果を奏することができるので、特に円弧状のみに限定するものではない。
【００２９】
本実施例が示すように、曲線切欠部２０を設けて、曲線切欠部２０と折り目とによって通り孔２５を形成する構成にすれば、針付縫合糸３０の収納が容易であり、かつ、針付縫合糸３０を包装材１０から取り出す際には、縫合糸３２が絡まり難く、さらに、縫合糸３２の損傷や紙粉の付着を抑える効果を奏することができる。
【００３０】
なお、図示はしないが、別の実施例として第一面を省略した三つ折りの包装材も考えられる。その場合でも曲線切欠部２０や通り孔２５は四つ折りと同様に形成できるので、縫合糸３２の損傷や紙粉の付着を抑える効果については、四つ折りと同様の効果を得ることができる。
【符号の説明】
【００３１】
１０ 包装材
１１ 第一面
１２ 第二面
１３ 第三面
１４ 第四面
１５ 持ち手部
１６ 針押さえ部
１７ 糸押さえ部
１８ 底部
１９ 針留め部
２０ 曲線切欠部
２１ 係止雄部
２２ 係止雌部
２５ 通り孔
３０ 針付縫合糸
３１ 縫合針
３２ 縫合糸
Ｐ 縫合糸と曲線切欠部の接点
【図１】
2016136494.tif 000003
【図２】
2016136494.tif 000004
【図３】
2016136494.tif 000005
【図４】
2016136494.tif 000006
【国際調査報告】
2016136494.tif 000007
2016136494.tif 000008
2016136494.tif 000009
2016136494.tif 000010